(57)【要約】  本発明は、エレクトロニクス技術に関連し、タッチスクリーン電子デバイスを使用するときに既存の入力方法は前記タッチスクリーン電子デバイスに適用できず、ユーザがスクリーンにタッチすると、意図しないタッチが容易に生じ誤入力を導く、という問題を解決する。仮想キーボードは、前記タッチスクリーン電子デバイスのタッチスクリーン上に表示され、前記仮想キーボードは、仮想キーボードに表示されている文字上でのユーザにより実行されるタッチ動作に従って、対応する文字情報を入力するように構成されており、いくつかの最初の文字が前記仮想キーボードに表示される。第１動作命令が取得され、前記仮想キーボードに表示されている前記いくつかの最初の文字は、前記第１動作命令に従って、いくつかの他の最初の文字に置き換えられる。本発明の実施形態は、タッチスクリーン電子デバイスの入力処理に適用可能である。
2016501490.tif 000002
【特許請求の範囲】
【請求項１】
タッチスクリーン電子デバイスの入力方法であって、
前記タッチスクリーン電子デバイスのタッチスクリーン上に仮想キーボードを表示するステップであって、前記仮想キーボードは、前記仮想キーボードに表示されている文字上でのユーザにより実行されるタッチ動作にしたがって対応する文字情報を入力し、前記仮想キーボード上にいくつかの最初の文字を表示するように構成されている、ステップと、
第１動作命令を取得するステップと、
前記第１動作命令に従って、前記仮想キーボードに表示されている前記いくつかの最初の文字を、いくつかの他の最初の文字に置き換えるステップと、
を具備することを特徴とするタッチスクリーン電子デバイスの入力方法。
【請求項２】
前記最初の文字は、数字、大文字、小文字、シンボル、又はエモーションであることを特徴とする請求項１に記載の方法。
【請求項３】
前記方法は、前記タッチスクリーン上に入力ボックスを表示するステップをさらに具備し、
前記仮想キーボードは、前記仮想キーボードに表示されている文字上でのユーザにより実行されるタッチ動作に従って、対応する文字情報を入力するように構成されており、
特に、前記仮想キーボードに表示されている文字上で前記ユーザにより実行される前記タッチ動作が受信された後、前記タッチ動作に対応する文字情報を前記入力ボックスに表示することを特徴とする請求項１又は２に記載の方法。
【請求項４】
前記第１動作命令は、前記タッチスクリーン上でのスライド動作命令であることを特徴とする請求項１から３の何れか一項に記載の方法。
【請求項５】
前記スライド動作命令は、左スライド動作命令、右スライド動作命令、上スライド動作命令、又は下スライド動作命令を具備することを特徴とする請求項４に記載の方法。
【請求項６】
前記方法は、前記タッチスクリーン上に１つまたは複数のトグルキーを表示するステップをさらに具備し、
前記トグルキーは、数字トグルキー、小文字トグルキー、大文字トグルキー、シンボルトグルキー、又はエモーショントグルキーであり、
前記数字トグルキー上のタッチ命令が取得されると、前記仮想キーボードに表示されている最初の文字を数字として表示するか、又は、
前記小文字トグルキー上のタッチ命令が取得されると、前記仮想キーボードに表示されている最初の文字を小文字として表示するか、又は、
前記大文字トグルキー上のタッチ命令が取得されると、前記仮想キーボードに表示されている最初の文字を大文字として表示するか、又は、
前記シンボルトグルキー上のタッチ命令が取得されると、前記仮想キーボードに表示されている最初の文字をシンボルとして表示するか、又は、
前記エモーショントグルキー上のタッチ命令が取得されると、前記仮想キーボードに表示されている最初の文字をエモーションとして表示する
ことを特徴とする請求項２から５の何れか一項に記載の方法。
【請求項７】
請求項１から６に従う前記タッチスクリーン電子デバイス上に配置されるユーザインターフェースであって、前記ユーザインターフェースは、
前記タッチスクリーン電子デバイスのタッチスクリーン上に表示されている仮想キーボードであって、前記仮想キーボードに表示されている文字上でのユーザにより実行されるタッチ動作に従って、対応する文字情報を入力するように構成されている前記仮想キーボードと、
前記仮想キーボードに表示されているいくつかの最初の文字と、
前記仮想キーボードに表示されているいくつかの他の最初の文字であって、前記タッチスクリーン上の第１動作命令を使用して取得される前記いくつかの他の最初の文字と、
を具備することを特徴とするユーザインターフェース。
【請求項８】
前記仮想キーボードに表示されている前記いくつかの最初の文字において、前記最初の文字は、数字、大文字、小文字、シンボル、又はエモーションであることを特徴とする請求項７に記載のユーザインターフェース。
【請求項９】
前記ユーザインターフェースは、表示される入力ボックスをさらに具備し、
前記入力ボックスに表示される文字情報は、前記仮想キーボードに表示されている文字上で前記ユーザにより実行された受信したタッチ動作に対応する文字情報であることを特徴とする請求項７又は８に記載のユーザインターフェース。
【請求項１０】
前記第１動作命令は、前記タッチスクリーン上でのスライド動作命令であることを特徴とする請求項７から９の何れか一項に記載のユーザインターフェース。
【請求項１１】
前記スライド動作命令は、左スライド動作命令、右スライド動作命令、上スライド動作命令、又は下スライド動作命令を具備することを特徴とする請求項１０に記載のユーザインターフェース。
【請求項１２】
前記ユーザインターフェースは、前記タッチスクリーンに表示されている１つまたは複数のトグルキーをさらに具備し、
前記トグルキーは、数字トグルキー、小文字トグルキー、大文字トグルキー、シンボルトグルキー、又はエモーショントグルキーであり、
前記タッチスクリーン上に表示される最初の文字が数字ならば、前記数字トグルキー上のタッチ命令を取得することにより、前記数字が表示され、又は、
前記タッチスクリーン上に表示される最初の文字が小文字ならば、前記小文字トグルキー上のタッチ命令を取得することにより、前記数字が表示され、又は、
前記タッチスクリーン上に表示される最初の文字が大文字ならば、前記大文字トグルキー上のタッチ命令を取得することにより、前記数字が表示され、又は、
前記タッチスクリーン上に表示される最初の文字がシンボルならば、前記シンボルトグルキー上のタッチ命令を取得することにより、前記数字が表示され、又は、
前記タッチスクリーン上に表示される最初の文字がエモーションならば、前記エモーショントグルキー上のタッチ命令を取得することにより、前記数字が表示される、
ことを特徴とする請求項８から１１の何れか一項に記載のユーザインターフェース。
【請求項１３】
タッチスクリーン電子デバイスの入力装置であって、
前記タッチスクリーン電子デバイスのタッチスクリーン上の仮想キーボードを表示するように構成されている表示ユニットであって、前記仮想キーボードは、前記仮想キーボードに表示されている文字上でのユーザにより実行されるタッチ動作に従って、対応する文字情報を入力するように構成され、前記仮想キーボード上にいくつかの最初の文字を表示する、表示ユニットと、
第１動作命令を取得するように構成されている取得ユニットと、
前記第１動作命令に従って、前記仮想キーボードに表示されている前記いくつかの最初の文字をいくつかの他の最初の文字に置き換えるように構成されている処理ユニットと、
を具備することを特徴とするタッチスクリーン電子デバイスの入力装置。
【請求項１４】
前記表示ユニットにより表示される前記最初の文字は、数字、大文字、小文字、シンボル、又はエモーションであることを特徴とする請求項１３に記載の装置。
【請求項１５】
前記表示ユニットは、前記タッチスクリーン上に入力ボックスを表示するようにさらに構成され、前記仮想キーボードに表示されている文字上で前記ユーザにより実行される前記タッチ動作が受信された後、前記タッチ動作に対応する文字情報を前記入力ボックスに表示することを特徴とする請求項１３又は１４に記載の装置。
【請求項１６】
前記取得ユニットにより取得された前記第１動作命令は、前記タッチスクリーン上でのスライド動作命令であることを特徴とする請求項１３から１５の何れか一項に記載の装置。
【請求項１７】
前記取得ユニットにより取得された前記スライド動作命令は、左スライド動作命令、右スライド動作命令、上スライド動作命令、又は下スライド動作命令を具備することを特徴とする請求項１６に記載の装置。
【請求項１８】
前記表示ユニットは、前記タッチスクリーン上に１つまたは複数のトグルキーを表示するようにさらに構成され、
前記トグルキーは、数字トグルキー、小文字トグルキー、大文字トグルキー、シンボルトグルキー、又はエモーショントグルキーであり、
前記処理ユニットは、
前記数字トグルキー上のタッチ命令が取得されると、前記仮想キーボードに表示されている最初の文字を数字として表示するか、又は、
前記小文字トグルキー上のタッチ命令が取得されると、前記仮想キーボードに表示されている最初の文字を小文字として表示するか、又は、
前記大文字トグルキー上のタッチ命令が取得されると、前記仮想キーボードに表示されている最初の文字を大文字として表示するか、又は、
前記シンボルトグルキー上のタッチ命令が取得されると、前記仮想キーボードに表示されている最初の文字をシンボルとして表示するか、又は、
前記エモーショントグルキー上のタッチ命令が取得されると、前記仮想キーボードに表示されている最初の文字をエモーションとして表示するようにさらに構成されていることを特徴とする請求項１４から１７の何れか一項に記載の装置。
【発明の詳細な説明】
【技術分野】
【０００１】
本発明は、エレクトロニクス技術の分野に関連し、特に、タッチスクリーン電子デバイスの入力方法及び装置に関連する。
【背景技術】
【０００２】
現在、いくつかのタッチスクリーン電子デバイス上で、単純な入力動作を行う必要がある。しかし、既存の入力方法は、タッチスクリーン電子デバイスに適用できず、ユーザがスクリーンをタッチすると、意図しないタッチが容易に生じ、誤入力を導くことになる。
【発明の概要】
【課題を解決するための手段】
【０００３】
本発明の実施形態は、意図しないタッチによる誤入力を回避し、タッチスクリーン電子デバイスの入力問題を解決する、タッチスクリーン電子デバイスの入力方法及び装置を提供する。
【０００４】
前述の目的を達成するため、本発明の実施形態は、以下の技術的ソリューションを使用する。
【０００５】
第１の特徴によれば、本発明は、前記タッチスクリーン電子デバイスのタッチスクリーン上に仮想キーボードを表示するステップであって、前記仮想キーボードは、前記仮想キーボードに表示されている文字上でのユーザにより実行されるタッチ動作にしたがって対応する文字情報を入力し、前記仮想キーボード上にいくつかの最初の文字を表示するように構成されている、ステップと、第１動作命令を取得するステップと、前記第１動作命令に従って、前記仮想キーボードに表示されている前記いくつかの最初の文字をいくつかの他の最初の文字に置き換えるステップと、を具備するタッチスクリーン電子デバイスの入力方法を提供する。
【０００６】
前記第１の特徴の第１の実装可能な方法において、前記最初の文字は、数字、大文字、小文字、シンボル、又はエモーションである。
【０００７】
前記第１の特徴の第２の実装可能な方法において、前記方法は、前記タッチスクリーン上に入力ボックスを表示するステップをさらに具備し、前記仮想キーボードは、前記仮想キーボードに表示されている文字上でのユーザにより実行されるタッチ動作に従って、対応する文字情報を入力するように構成されており、特に、前記仮想キーボードに表示されている文字上で前記ユーザにより実行される前記タッチ動作が受信された後、前記タッチ動作に対応する文字情報を前記入力ボックスに表示する。
【０００８】
前記第１の特徴の第３の実装可能な方法において、前記第１動作命令は、前記タッチスクリーン上でのスライド動作命令である。
【０００９】
前記第１の特徴の第４の実装可能な方法において、前記スライド動作命令は、左スライド動作命令、右スライド動作命令、上スライド動作命令、又は下スライド動作命令を具備する。
【００１０】
前記第１の特徴の第５の実装可能な方法において、前記方法は、前記タッチスクリーン上に１つまたは複数のトグルキーを表示するステップをさらに具備し、前記トグルキーは、数字トグルキー、小文字トグルキー、大文字トグルキー、シンボルトグルキー、又はエモーショントグルキーであり、前記数字トグルキー上のタッチ命令が取得されると、前記仮想キーボードに表示されている最初の文字を数字として表示するか、又は、前記小文字トグルキー上のタッチ命令が取得されると、前記仮想キーボードに表示されている最初の文字を小文字として表示するか、又は、前記大文字トグルキー上のタッチ命令が取得されると、前記仮想キーボードに表示されている最初の文字を大文字として表示するか、又は、前記シンボルトグルキー上のタッチ命令が取得されると、前記仮想キーボードに表示されている最初の文字をシンボルとして表示するか、又は、前記エモーショントグルキー上のタッチ命令が取得されると、前記仮想キーボードに表示されている最初の文字をエモーションとして表示する。
【００１１】
第２の特徴によれば、本発明は、タッチスクリーン電子デバイス上にユーザインターフェースを提供し、前記ユーザインターフェースは、前記タッチスクリーン電子デバイスのタッチスクリーン上に表示されている仮想キーボードであって、前記仮想キーボードに表示されている文字上でのユーザにより実行されるタッチ動作に従って、対応する文字情報を入力するように構成されている前記仮想キーボードと、前記仮想キーボードに表示されているいくつかの最初の文字と、前記仮想キーボードに表示されているいくつかの他の最初の文字であって、前記タッチスクリーン上の第１動作命令を使用して取得される前記いくつかの他の最初の文字と、を具備する。
【００１２】
前記第２の特徴の第１の実装可能な方法において、前記仮想キーボードに表示されている前記いくつかの最初の文字において、前記最初の文字は、数字、大文字、小文字、シンボル、又はエモーションである。
【００１３】
前記第２の特徴の第２の実装可能な方法において、前記ユーザインターフェースは、表示される入力ボックスをさらに具備し、前記入力ボックスに表示される文字情報は、前記仮想キーボードに表示されている文字上で前記ユーザにより実行された受信したタッチ動作に対応する文字情報である。
【００１４】
前記第２の特徴の第３の実装可能な方法において、前記第１動作命令は、前記タッチスクリーン上でのスライド動作命令である。
【００１５】
前記第２の特徴の第４の実装可能な方法において、前記スライド動作命令は、左スライド動作命令、右スライド動作命令、上スライド動作命令、又は下スライド動作命令を具備する。
【００１６】
前記第２の特徴の第５の実装可能な方法において、前記ユーザインターフェースは、前記タッチスクリーンに表示されている１つまたは複数のトグルキーをさらに具備し、前記トグルキーは、数字トグルキー、小文字トグルキー、大文字トグルキー、シンボルトグルキー、又はエモーショントグルキーであり、前記タッチスクリーン上に表示される最初の文字が数字ならば、前記数字トグルキー上のタッチ命令を取得することにより、前記数字が表示され、又は、前記タッチスクリーン上に表示される最初の文字が小文字ならば、前記小文字トグルキー上のタッチ命令を取得することにより、前記数字が表示され、又は、前記タッチスクリーン上に表示される最初の文字が大文字ならば、前記大文字トグルキー上のタッチ命令を取得することにより、前記数字が表示され、又は、前記タッチスクリーン上に表示される最初の文字がシンボルならば、前記シンボルトグルキー上のタッチ命令を取得することにより、前記数字が表示され、又は、前記タッチスクリーン上に表示される最初の文字がエモーションならば、前記エモーショントグルキー上のタッチ命令を取得することにより、前記数字が表示される。
【００１７】
第２の特徴によれば、本発明は、前記タッチスクリーン電子デバイスのタッチスクリーン上の仮想キーボードを表示するように構成されている表示ユニットであって、前記仮想キーボードは、前記仮想キーボードに表示されている文字上でのユーザにより実行されるタッチ動作に従って、対応する文字情報を入力するように構成され、前記仮想キーボード上にいくつかの最初の文字を表示する、表示ユニットと、第１動作命令を取得するように構成されている取得ユニットと、前記第１動作命令に従って、前記仮想キーボードに表示されている前記いくつかの最初の文字をいくつかの他の最初の文字に置き換えるように構成されている処理ユニットと、を具備するタッチスクリーン電子デバイスの入力装置を提供する。
【００１８】
前記第２の特徴の第１の実装可能な方法において、前記表示ユニットにより表示される前記最初の文字は、数字、大文字、小文字、シンボル、又はエモーションである。
【００１９】
前記第２の特徴の第２の実装可能な方法において、前記表示ユニットは、前記タッチスクリーン上に入力ボックスを表示するようにさらに構成され、前記仮想キーボードに表示されている文字上で前記ユーザにより実行される前記タッチ動作が受信された後、前記タッチ動作に対応する文字情報を前記入力ボックスに表示する。
【００２０】
前記第２の特徴の第３の実装可能な方法において、前記取得ユニットにより取得された前記第１動作命令は、前記タッチスクリーン上でのスライド動作命令である。
【００２１】
前記第２の特徴の第４の実装可能な方法において、前記取得ユニットにより取得された前記スライド動作命令は、左スライド動作命令、右スライド動作命令、上スライド動作命令、又は下スライド動作命令を具備する。
【００２２】
前記第２の特徴の第５の実装可能な方法において、前記表示ユニットは、前記タッチスクリーン上に１つまたは複数のトグルキーを表示するようにさらに構成され、前記トグルキーは、数字トグルキー、小文字トグルキー、大文字トグルキー、シンボルトグルキー、又はエモーショントグルキーであり、前記処理ユニットは、前記数字トグルキー上のタッチ命令が取得されると、前記仮想キーボードに表示されている最初の文字を数字として表示するか、又は、前記小文字トグルキー上のタッチ命令が取得されると、前記仮想キーボードに表示されている最初の文字を小文字として表示するか、又は、前記大文字トグルキー上のタッチ命令が取得されると、前記仮想キーボードに表示されている最初の文字を大文字として表示するか、又は、前記シンボルトグルキー上のタッチ命令が取得されると、前記仮想キーボードに表示されている最初の文字をシンボルとして表示するか、又は、前記エモーショントグルキー上のタッチ命令が取得されると、前記仮想キーボードに表示されている最初の文字をエモーションとして表示するようにさらに構成されている。
【００２３】
本発明の実施形態により提供されるタッチスクリーン電子デバイスの入力方法及び装置において、仮想キーボードは、前記タッチスクリーン電子デバイスのタッチスクリーン上に表示され、前記仮想キーボードは、前記仮想キーボードに表示されている文字上でユーザにより実行されるタッチ動作に従って対応する文字情報を入力するように構成されており、いくつかの最初の文字が、前記仮想キーボード上に表示され、前記仮想キーボードに表示されている前記いくつかの最初の文字は、取得された第１動作命令に従って、いくつかの他の最初の文字に置き換えられる。本発明の実施形態によれば、タッチスクリーン電子デバイスに使用されているときは、前記既存の入力方法は、前記タッチスクリーン電子デバイスに適用できず、ユーザがスクリーンをタッチする場合に、意図しないタッチが簡単に生じ、誤入力を導くという問題が解決され、それにより、意図しないタッチにより生じる誤入力を回避し、タッチスクリーン電子デバイスの入力問題を解決する。
【００２４】
本発明の実施形態における前記技術的ソリューションをより明確に説明するために、以下では本発明の実施形態の説明に必要な添付の図面を簡単に紹介する。明らかに、以下の記述における添付の図面は、本発明のいくつかの実施形態を単に示しているにすぎず、当業者は、創作的な努力無しに、これらの添付の図面から他の図面をさらに得ることができる。
【図面の簡単な説明】
【００２５】
【図１】図１は、本発明の実施形態１に従う、タッチスクリーン電子デバイスの入力方法のフローチャートである。
【図２】図２は、本発明の実施形態１に従う、タッチスクリーン上に表示される仮想キーボードの概略図である。
【図３】図３は、本発明の実施形態１に従う、前記タッチスクリーン上に別の部分の最初の文字を表示する概略図である。
【図４】図４は、本発明の実施形態１に従う、タッチスクリーン電子デバイスの他の入力方法のフローチャートである。
【図５】図５は、本発明の実施形態１に従う、タッチスクリーン上に入力ボックスを表示する概略図である。
【図６】図６は、本発明の実施形態１に従う、数字トグルキーに対応する数字情報を仮想キーボード上に表示する概略図である。
【図７】図７は、本発明の実施形態１に従う、小文字トグルキーに対応する小文字情報を仮想キーボード上に表示する概略図である。
【図８】図８は、本発明の実施形態１に従う、大文字トグルキーに対応する大文字情報を仮想キーボード上に表示する概略図である。
【図９】図９は、本発明の実施形態１に従う、シンボルトグルキーに対応するシンボル情報を仮想キーボード上に表示する概略図である。
【図１０】図１０は、本発明の実施形態１に従う、エモーショントグルキーに対応するエモーション情報を仮想キーボード上に表示する概略図である。
【図１１】図１１は、本発明の実施形態１に従う、ユーザがタッチスクリーン上で左スライドした後に、対応する情報を仮想キーボード上に表示する概略図である。
【図１２】図１２は、本発明の実施形態１に従う、仮想キーボード上にスペースキーが存在する場合の概略図である。
【図１３】図１３は、本発明の実施形態１に従う、仮想キーボード上にキーボードハイディングキーが存在する場合の概略図である。
【図１４】図１４は、本発明の実施形態１に従う、仮想キーボード上にキーボードハイディングキーが存在する場合の動作フローチャートである。
【図１５】図１５は、本発明の実施形態２に従う、タッチスクリーン電子デバイス上に表示されるユーザインターフェースの概略図である。
【図１６】図１６は、本発明の実施形態２に従う、他のタッチスクリーン電子デバイス上に表示されるユーザインターフェースの概略図である。
【図１７】図１７は、本発明の実施形態３に従う、タッチスクリーン電子デバイスの入力装置の構造図である。
【図１８】図１８は、本発明の実施形態４に従う、タッチスクリーン電子デバイスの構造図である。
【発明を実施するための形態】
【００２６】
以下では、本発明の実施形態における前記技術的ソリューションを本発明の実施形態の添付の図面を参照して、明確にかつ完全に説明する。明らかに、説明される実施形態は、本発明の実施形態の全てではなく、単にいくつかだけである。創作的な努力無しに本発明の実施形態に基づき当業者により得られる全ての他の実施形態は、本発明の保護範囲内に入るであろう。
【００２７】
図１に示されるように、本発明の実施形態は、タッチスクリーン電子デバイスの入力方法を提供する。この本発明の実施形態は、タッチスクリーン電子デバイス、例えば、スモールタッチスクリーン電子デバイス、又は、タッチスクリーンを備えた他の携帯端末に適用可能である。前記方法は、以下のステップを具備する。
【００２８】
101:  前記タッチスクリーン電子デバイスのタッチスクリーン上の仮想キーボードを表示する。前記仮想キーボードは、前記仮想キーボードに表示されている文字上でのユーザにより実行されるタッチ動作に従って、対応する文字情報を入力するように構成されており、前記仮想キーボード上にいくつかの最初の文字を表示する。
【００２９】
図２に示されるように、文字は、前記タッチスクリーン電子デバイスのタッチスクリーンに表示されている前記仮想キーボード上に表示される。前記ユーザは、表示されている前記文字上でタッチ動作を実行でき、それにより対応する文字情報を入力し、いくつかの最初の文字が前記仮想キーボード上に表示される。
【００３０】
前記仮想キーボードに表示されている最初の文字の数は、前記タッチスクリーンのスクリーンサイズ、文字サイズ、キー間隔、行間隔などにしたがって決定されうるが、本明細書において限定されない。
【００３１】
102:  第１動作命令を取得する。
【００３２】
103:  前記第１動作命令に従って、前記仮想キーボードに表示されている前記いくつかの最初の文字をいくつかの他の最初の文字に置き換える。
【００３３】
図３に示されるように、前記ユーザにより入力された前記第１動作命令が取得された場合、前記タッチスクリーン電子デバイスは、前記第１動作命令に従って、前記仮想キーボード上にいくつかの他の最初の文字を表示する。
【００３４】
この本発明の実施形態により提供される前記タッチスクリーン電子デバイスの入力方法において、仮想キーボードは、前記タッチスクリーン電子デバイスのタッチスクリーン上に表示され、前記仮想キーボードは、前記仮想キーボードに表示されている文字上でのユーザにより実行されるタッチ動作に従って対応する文字情報を入力するように構成されており、いくつかの最初の文字は、前記仮想キーボード上に表示され、前記仮想キーボードに表示されている前記いくつかの最初の文字は、第１動作命令に従って、いくつかの他の最初の文字に置き換えられる。タッチスクリーン電子デバイス上に使用されている場合に、この本発明の実施形態において、問題が解決される。前記既存の入力方法は、前記タッチスクリーン電子デバイスには適用できず、ユーザが、スクリーンをタッチする場合に、意図しないタッチが容易に発生し、誤入力を導くため、意図しないタッチにより生じる誤入力を回避することによりタッチスクリーン電子デバイスの入力における問題を解決する。
【００３５】
この本発明の実施形態の第１の実装方法において、タッチスクリーン電子デバイスの入力方法が提供される。図４に示されるように、タッチスクリーン電子デバイスは、説明のための例として使用されている。前記デバイスがワイヤレス・ローカル・エリア・ネットワークにアクセスする必要がある場合に、前記デバイスは、前記デバイスの識別情報が正常に認証される場合のみ、対応するネットワークに入ることができ、すなわち、前記デバイスは、ローカルエリアネットワークのＳＳＩＤ(Service Set Identifier：サービスセット識別子)と同じ名前が前記デバイス上で入力される場合にのみ、対応するネットワークに入ることができる。具体的なステップは以下に示される。
【００３６】
401:  前記タッチスクリーン電子デバイスのタッチスクリーン上に仮想キーボードと入力ボックスを表示する。
【００３７】
図５に示されるように、前記仮想キーボードは、前記仮想キーボードに表示されている文字上でのユーザにより実行されるタッチ動作が受信された後、前記タッチ動作に対応する文字情報を前記入力ボックスに表示するように構成されている。
【００３８】
加えて、前記仮想キーボードに表示されている前記いくつかの最初の文字において、前記最初の文字は、数字、大文字、小文字、シンボル、又はエモーションである。
【００３９】
さらに、１つまたは複数のトグルキーが前記タッチスクリーン上に表示され、前記トグルキーは、数字トグルキー、小文字トグルキー、大文字トグルキー、シンボルトグルキー、又はエモーショントグルキーであり、図６から図１０に示されるように、「123」、「abc」、「ABC」、「#+=」、及び「:-D」によりそれぞれ表示されている。任意のトグルキーに相当する文字情報が、前記ユーザによる前記仮想キーボード上の前記トグルキーのタッチすることのみにより、前記仮想キーボード上に表示されるが、この本発明の実施形態における前記トグルキーの数に限定されるものではない。トグルキー上のタッチ命令が受信されると、異なる最初の文字が前記仮想キーボード上に表示される。実装方法は、以下に示される。
【００４０】
a.  前記数字トグルキー上のタッチ命令が取得された場合には、図６に示されるように、前記仮想キーボードに表示されている最初の文字は、数字として表示する。
【００４１】
b.  前記小文字トグルキー上のタッチ命令が取得された場合には、図７に示されるように、前記仮想キーボードに表示されている最初の文字は、小文字として表示する。
【００４２】
c.  前記大文字トグルキー上のタッチ命令が取得された場合には、図８に示されるように、前記仮想キーボードに表示されている最初の文字は、大文字として表示する。
【００４３】
d.  前記シンボルトグルキー上のタッチ命令が取得された場合には、図９に示されるように、前記仮想キーボードに表示されている最初の文字は、シンボルとして表示する。
【００４４】
e.  前記エモーショントグルキー上のタッチ命令が取得された場合には、図１０に示されるように、前記仮想キーボードに表示されている最初の文字は、エモーションとして表示する。
【００４５】
前記仮想キーボードに表示されている最初の文字の数は、前記タッチスクリーンのスクリーンサイズ、文字サイズ、キー間隔、及び行間隔に従って決定されうるが、本明細書において限定されない。
【００４６】
402:  第１動作命令を取得する。前記第１動作命令は、前記タッチスクリーン上でのスライド動作命令である。
【００４７】
前記スライド動作命令は、左スライド動作命令、右スライド動作命令、上スライド動作命令、又は下スライド動作命令を具備する。
【００４８】
403:  前記第１動作命令に従って、前記仮想キーボードに表示されているいくつかの最初の文字をいくつかの他の最初の文字に置き換える。
【００４９】
いくつかの最初の文字が、前記仮想キーボード上に表示されるため、前記ユーザがいくつかの他の最初の文字を取得する必要がある場合には、前記タッチスクリーン電子デバイスが、対応する命令を取得し、前記仮想キーボード上にいくつかの他の最初の文字を表示するように、前記ユーザは、前記タッチスクリーン上で、左スライド動作、右スライド動作、上スライド動作、又は下スライド動作を実行する。
【００５０】
前記仮想キーボードに表示されている最初の文字が文字情報の行のみを表示する場合には、図６、図７、図８、図９、及び図１０に示されるように、前記ユーザにより入力される必要がある文字が、現在表示されていない文字ならば、前記ユーザは、左スライド動作、右スライド動作、上スライド動作、又は下スライド動作を実行することにより、表示されている前記文字情報を更新でき、これにより、入力される前記文字をみつける。
【００５１】
例えば、図７において示されている小文字情報が、ユーザが入力したい「m」を含んでいない場合には、図１１に示されるように、前記ユーザは、前記タッチスクリーン上で左スライドし、前記仮想キーボードが表示されている文字情報を更新した後に、前記文字「m」を見つける。前記仮想キーボードが10個の文字情報を表示する場合には、26個の文字情報のために、一連の文字情報選択肢は、3回のスライド動作のみにより行うことができる。
【００５２】
この本発明の実施形態の第２の実装方法において、図１２に示されるように、前記仮想キーボード上にスペースキーが存在する場合には、前記方法は、前記仮想キーボードをタッチすることにより、前記ユーザにより入力されたスペースキーを取得し、前記入力ボックスに前記スペースキーを表示するステップをさらに具備する。
【００５３】
前記スペースキーは、独立してセットされ、ユーザエクスペリエンスを改善し、入力を容易にする。前記スペースキーは、特殊文字情報に設定することもできるが、本明細書において限定されない。
【００５４】
この本発明の実施形態の第３の実装方法において、図１３に示されるように、キーボードハイディングキーが前記仮想キーボード上に存在する場合には、図１４に示されるように、前記方法は、以下のステップをさらに具備する。
【００５５】
1401:  前記仮想キーボードをタッチすることにより、ユーザによる入力されるキーボードハイディングキーを取得する。
【００５６】
1402:  前記仮想キーボードを隠し、前記入力ボックスにスクロールバーを表示する。
【００５７】
この本発明の実施形態において前記入力ボックスは、一行の入力情報のみ表示できるため、前記ユーザが次の行の入力を実行したい場合には、入力ボックスにおけるスクロールバーが表示されるように、前記ユーザは、ユーザ動作を容易にするために、まず、前記仮想キーボードを隠す必要がある。
【００５８】
1403:  前記入力ボックス上で前記ユーザにより実行されたスクロール動作を取得し、スクロール方法において、前記入力ボックスに内容物を表示する。
【００５９】
1404:  前記入力ボックスにおいて前記ユーザにより入力されたカーソルが取得された場合には、前記仮想キーボードを表示する。
【００６０】
図１４において示されている実装方法は、前記仮想キーボードを隠すことにより、スクロール方法において前記入力ボックスを表示するものであり、従来技術において通常使用されており、前記入力ボックス上で前記ユーザにより実行されたスクロール動作を取得し、そして前記ユーザが、表示される入力行へ入力するカーソルが取得された場合に、前記仮想キーボードを表示する。
【００６１】
この本発明の実施形態において、前記仮想キーボード上に表示される文字サイズ、キーサイズ、キー間隔、及び行間隔は、異なるタッチスクリーン電子デバイスのスクリーンサイズによりすべて変化し得、本明細書において限定されない。
【００６２】
この本発明の実施形態を使用することにより、数字、文字、及び特殊文字間の切り替え入力が実装され得、異なる文字の選択が単なるスライドにより実施され得、これにより、意図しないタッチにより生じる誤入力の可能性が減少する。
【００６３】
［実施形態２］
この本発明の実施形態は、タッチスクリーン電子デバイス上に表示されるユーザインターフェースを提供する。図１５に示されるように、前記ユーザインターフェース15は、
前記タッチスクリーン電子デバイスのタッチスクリーン上に表示される仮想キーボードであって、前記仮想キーボードに表示されている文字上でのユーザにより実行されるタッチ動作に従って、対応する文字情報を入力するように構成されている仮想キーボード151と、
前記仮想キーボードに表示されているいくつかの最初の文字と、
前記仮想キーボードに表示されているいくつかの他の最初の文字であって、前記タッチスクリーン上での第１動作命令を使用することにより取得される前記いくつかの他の最初の文字と、を具備する。
【００６４】
この本発明の実施形態により提供される前記タッチスクリーン電子デバイス上に表示されるユーザインターフェースとともに、仮想キーボードは、前記タッチスクリーン電子デバイスのタッチスクリーン上に表示され、前記仮想キーボードは、前記仮想キーボードに表示されている文字上でのユーザにより実行されるタッチ動作に従って、対応する文字情報を入力するように構成されており、いくつかの最初の文字が前記仮想キーボード上に表示され、そして、前記仮想キーボードに表示されている前記いくつかの最初の文字は、取得された第１動作命令に従って、いくつかの他の最初の文字に置き替えられる。この本発明の実施形態において、タッチスクリーン電子デバイス上で使用される場合に、前記既存の入力方法は、前記タッチスクリーン電子デバイスに適用できず、ユーザがスクリーンをタッチする場合に、意図しないタッチが容易に発生し、誤入力を導く、という問題が解決され、それにより、意図しないタッチにより生じる誤入力を回避し、タッチスクリーン電子デバイスの入力問題を解決する。
【００６５】
任意で、前記仮想キーボードに表示されている前記いくつかの最初の文字において、前記最初の文字は、数字、大文字、小文字、シンボル、又はエモーションである。
【００６６】
図１６に示されるように、前記ユーザインターフェースは、
表示される入力ボックス161をさらに具備し、前記入力ボックス内に表示されている文字情報は、前記仮想キーボードに表示されている文字上での前記ユーザにより実行された、受信されたタッチ動作に対応する文字情報である。
【００６７】
任意で、前記第１動作命令は、前記タッチスクリーン上でのスライド動作命令である。
【００６８】
任意で、前記スライド動作命令は、左スライド動作命令、右スライド動作命令、上スライド動作命令、又は下スライド動作命令を具備する。
【００６９】
任意で、前記ユーザインターフェースは、前記タッチスクリーンに表示されている１つまたは複数のトグルキーをさらに具備し、前記トグルキーは、数字トグルキー、小文字トグルキー、大文字トグルキー、シンボルトグルキー、又はエモーショントグルキーであり、
前記タッチスクリーン上に表示される最初の文字が数字であるならば、前記数字は、前記数字トグルキー上のタッチ命令を取得することにより表示され、又は、
前記タッチスクリーン上に表示される最初の文字が小文字であるならば、前記数字は、前記小文字トグルキー上のタッチ命令を取得することにより表示され、又は、
前記タッチスクリーン上に表示される最初の文字が大文字であるならば、前記数字は、前記大文字トグルキー上のタッチ命令を取得することにより表示され、又は、
前記タッチスクリーン上に表示される最初の文字がシンボルであるならば、前記数字は、前記シンボルトグルキー上のタッチ命令を取得することにより表示され、又は、
前記タッチスクリーン上に表示される最初の文字がエモーションであるならば、前記数字は、前記エモーショントグルキー上のタッチ命令を取得することにより表示される。
【００７０】
［実施形態３］
この本発明の実施形態は、タッチスクリーン電子デバイスの入力装置17を提供する。図１７に示されるように、前記装置17は、表示ユニット171と、取得ユニット172と、処理ユニット173と、を具備し、
前記表示ユニット171は、前記タッチスクリーン電子デバイスのタッチスクリーン上の仮想キーボードを表示するように構成されており、前記仮想キーボードは、前記仮想キーボードに表示されている文字上でのユーザにより実行されるタッチ動作に従って、対応する文字情報を入力し、前記仮想キーボード上にいくつかの最初の文字を表示するように構成され、
前記取得ユニット172は、第１動作命令を取得する余蘊意構成され、
前記処理ユニット173は、前記第１動作命令に従って、前記仮想キーボードに表示されている前記いくつかの最初の文字をいくつかの他の最初の文字に置き換えるように構成されている。
【００７１】
この本発明の実施形態により提供される前記タッチスクリーン電子デバイスの入力装置とともに、仮想キーボードが前記タッチスクリーン電子デバイスのタッチスクリーン上に表示され、前記仮想キーボードは、前記仮想キーボードに表示されている文字上でのユーザにより実行されるタッチ動作に従って、対応する文字情報を入力するように構成され、いくつかの最初の文字は、前記仮想キーボード上に表示され、前記仮想キーボードに表示されている前記いくつかの最初の文字は、取得された第１動作命令に従って、いくつかの他の最初の文字に置き換えられる。この本発明の実施形態において、タッチスクリーン電子デバイス上で使用される場合には、前記既存の入力方法は前記タッチスクリーン電子デバイスには適用できず、ユーザがスクリーンをタッチする場合に、意図しないタッチが容易に発生し、誤入力を導くという問題が解決され、それにより、意図しないタッチにより生じる誤入力を回避し、タッチスクリーン電子デバイスの入力問題を解決する。
【００７２】
任意で、前記表示ユニットにより表示される前記最初の文字は、数字、大文字、小文字、シンボル、又はエモーションである。
【００７３】
任意で、前記表示ユニットは、前記タッチスクリーン上に入力ボックスを表示し、前記仮想キーボードに表示されている文字上で前記ユーザにより実行された前記タッチ動作が受信された後、前記タッチ動作に対応する文字情報を前記入力ボックスに表示するようにさらに構成されている。
【００７４】
任意で、前記取得ユニットにより取得された前記第１動作命令は、前記タッチスクリーン上でのスライド動作命令である。
【００７５】
任意で、前記取得ユニットにより取得された前記スライド動作命令は、左スライド動作命令、右スライド動作命令、上スライド動作命令、又は下スライド動作命令を具備する。
【００７６】
任意で、前記表示ユニットは、前記タッチスクリーン上に１つまたは複数のトグルキーを表示するようにさらに構成されており、前記トグルキーは、数字トグルキー、小文字トグルキー、大文字トグルキー、シンボルトグルキー、又はエモーショントグルキーであり、
前記処理ユニットは、前記数字トグルキー上のタッチ命令が取得されると、前記仮想キーボードに表示されている最初の文字を数字として表示し、前記小文字トグルキー上のタッチ命令が取得されると、前記仮想キーボードに表示されている最初の文字を小文字として表示し、前記大文字トグルキー上のタッチ命令が取得されると、前記仮想キーボードに表示されている最初の文字を大文字として表示し、前記シンボルトグルキー上のタッチ命令が取得されると、前記仮想キーボードに表示されている最初の文字をシンボルとして表示し、前記エモーショントグルキー上のタッチ命令が取得されると、前記仮想キーボードに表示されている最初の文字をエモーションとして表示するようにさらに構成されている。
【００７７】
前記装置17の動作処理に関しては、前記タッチスクリーン電子デバイスの入力方法の前記プロセシング処理を参照する。
【００７８】
［実施形態４］
この本発明の実施形態は、タッチスクリーン電子デバイス18を提供する。図１８に示されるように、前記タッチスクリーン電子デバイスは、メモリ181と、ディスプレイ182と、処理モジュール183を具備し、
前記メモリ181は、命令を格納するように構成されており、
前記ディスプレイ182は、タッチスクリーン上に入力ボックスと前記入力ボックスの内容物、最初の文字と仮想キーボード上のキー情報を含む情報を表示するように構成されており、
前記プロセッサ183は、前記メモリ181内の命令を実行するように構成されており、
前記タッチスクリーン電子デバイスのタッチスクリーン上に仮想キーボードを表示するステップであって、前記仮想キーボードは、前記仮想キーボードに表示されている文字上でのユーザにより実行されるタッチ動作に従って、対応する文字情報を入力し、前記仮想キーボード上にいくつかの最初の文字を表示するように構成されている、ステップと、
第１動作命令を取得するステップと、
前記第１動作命令に従って、前記仮想キーボードに表示されている前記いくつかの最初の文字をいくつかの他の最初の文字に置き換えるステップと、
を特に実行する。
【００７９】
この本発明の実施形態において提供される前記タッチスクリーン電子デバイスにおいて、仮想キーボードは、前記タッチスクリーン電子デバイスのタッチスクリーン上に表示され、前記仮想キーボードは、前記仮想キーボードに表示されている文字上でのユーザにより実行されるタッチ動作に従って、対応する文字情報を入力するように構成されており、いくつかの最初の文字は、前記仮想キーボード上に表示され、取得される第１動作命令に従って、前記仮想キーボードに表示されている前記いくつかの最初の文字は、いくつかの他の最初の文字に置き換えられる。この本発明の実施形態において、タッチスクリーン電子デバイス上で使用される場合に、前記既存の入力方法が、前記タッチスクリーン電子デバイスには適用できず、ユーザがスクリーンをタッチする場合に、意図しないタッチが容易に発生し、誤入力を導くという問題を解決し、これにより、意図しないタッチにより生じる誤入力を回避し、タッチスクリーン電子デバイスの入力問題を解決する。
【００８０】
任意で、前記プロセッサ183は、前記タッチスクリーン上に入力ボックスを表示するステップを実行するようにさらに構成されており、前記仮想キーボードは、前記仮想キーボードに表示されている文字上でのユーザにより実行されるタッチ動作に従って、対応する文字情報を入力するように構成され、特に、前記仮想キーボードに表示されている文字上で前記ユーザにより実行された前記タッチ動作が受信された後に、前記タッチ動作に対応する文字情報を前記入力ボックスに表示する。
ている。
【００８１】
任意で、前記プロセッサ183は、前記タッチスクリーン上に１つまたは複数のトグルキーを表示するステップを実行するようにさらに構成され、前記トグルキーは、数字トグルキー、小文字トグルキー、大文字トグルキー、シンボルトグルキー、又はエモーショントグルキーであり、
前記数字トグルキー上のタッチ命令が取得された場合には、前記仮想キーボードに表示されている最初の文字は、数字として表示され、又は、
前記小文字トグルキー上のタッチ命令が取得された場合には、前記仮想キーボードに表示されている最初の文字は、小文字として表示され、又は、
前記大文字トグルキー上のタッチ命令が取得された場合には、前記仮想キーボードに表示されている最初の文字は、大文字として表示され、又は、
前記シンボルトグルキー上のタッチ命令が取得された場合には、前記仮想キーボードに表示されている最初の文字は、シンボルとして表示され、又は、
前記エモーショントグルキー上のタッチ命令が取得された場合には、前記仮想キーボードに表示されている最初の文字は、エモーションとして表示される。
【００８２】
任意で、前記プロセッサ183は、前記仮想キーボードをタッチすることにより、前記ユーザにより入力されたスペースキーを取得し、前記入力ボックスに前記スペースキーを表示するステップを実行するようにさらに構成される。
【００８３】
任意で、前記プロセッサ183は、
前記仮想キーボードをタッチすることにより前記ユーザにより入力されたキーボードハイディングキーを取得するステップと、
前記仮想キーボードを隠し、前記入力ボックスにスクロールバーを表示するステップと、
前記入力ボックス上で前記ユーザにより実行されるスクロール動作を取得し、スクロール方法において、前記入力ボックスに内容物を表示するステップと、
前記入力ボックスに前記ユーザにより入力されたカーソルが取得された場合に、前記仮想キーボードを表示するステップと、
を実行するようにさらに構成されている。
【００８４】
前記タッチスクリーン電子デバイス18の動作処理については、前記タッチスクリーン電子デバイスの入力方法の前記プロセシング処理を参照する。
【００８５】
便利で簡単な説明のために、上記の機能モジュールの分割は例示のための例として使用されていることは、当業者であれば、明確に理解し得る。実際のアプリケーションでは、上記機能は、異なる機能モジュールに割り当てられることができ、また、必要性に従って実装されてもよく、すなわち、装置の内部構造は、異なる機能モジュールに分割され、前述したすべての又はいくつかの機能が実装される。先のシステム、装置、ユニットの詳細な作業処理のための先述の方法の実施形態において対応する処理に関しては参照することができ、詳細はここでは再び説明しない。
【００８６】
本明細書において提供されるいくつかの実施形態において、開示されたシステム、装置、及び方法は、他の方法において実施できることを理解すべきである。例えば、説明された装置の実施形態は、単に例示である。例えば、モジュール又はユニット区分は、単に論理機能区分であり、実際の実装において他の区分であってよい。例えば、複数のユニット又は構成要素は、組み合わせ、又は他のシステムに組み込んでもよく、また、いくつかの特徴は、無視又は実行しなくてもよい。加えて、表示された又は論じられた、相互結合又は直接結合、又は通信接続は、いくつかのインターフェースを通じて実装されうる。前記装置間又はユニット間の間接的結合又は通信接続は、電気的、機械的、又は他の形式において実装されうる。
【００８７】
別々の部分として説明された前記ユニットは、物理的に分離されていてもされていなくてもよく、ユニットとして表示された部分は、物理的なユニットであっても、そうでなくてもよく、１つの位置に配置されることも、又は複数のネットワークユニットに分散されてもよい。前記ユニットのいくつか又はすべては、前記実施形態のソリューションの目的を達成するための実際の必要性に従って選択できる。
【００８８】
加えて、本発明の実施形態における機能ユニットは、一つの処理ユニットに統合されることができ、又は、各前記ユニットは、物理的に単体で存在してもよく、又は、2以上のユニットが1つのユニットに統合されてもよい。前記統合ユニットは、ハードウェアの形式で実装されてもよく、又は、ソフトウェア機能ユニットの形式で実装されてもよい。
【００８９】
前記統合ユニットが、ソフトウェア機能ユニットの形式で組み込まれ、独立した製品として販売又は使用される場合には、前記統合ユニットは、コンピュータ読み取り可能な記録媒体に格納されているであろう。そのような理解に基づき、本発明の本質的な、又は従来技術に寄与する部分の、技術的ソリューション、又は、前記技術的ソリューションの全て又は一部は、ソフトウェア製品の形式において実装することができる。前記ソフトウェア製品は、記録媒体に格納され、コンピュータデバイス(パーソナルコンピュータ、サーバ、又はネットワークデバイスであってよい)又はプロセッサに、本発明の実施形態において説明された方法のステップの全部またはいくつかを実行を指示するためのいくつかの命令を含んでいる。先の記録媒体は、USBフラッシュドライブ、リムーバブルハードディスク、リードオンリーメモリ(ROM：Read-Only Memory)、ランダムアクセスメモリ(RAM：Random Access Memory)、磁気ディスク、又は光ディスクといった、プログラムコードを格納できる任意の媒体を含む。
【００９０】
上記説明は、本発明の単なる特定の実装方法であり、本発明の保護範囲を限定する趣旨ではない。本発明において開示された技術的範囲内で当業者により容易に考え出される任意の変更又は置き換えは、本発明の保護範囲内に入るであろう。したがって、本発明の保護範囲は、特許請求の範囲の保護範囲に依存するであろう。
【符号の説明】
【００９１】
１５    ユーザインターフェース
１７    入力装置
１８    タッチスクリーン電子デバイス
１５１  仮想キーボード
１６１  入力ボックス
１７１  表示ユニット
１７２  取得ユニット
１７３  処理ユニット
１８１  メモリ
１８２  ディスプレイ
１８３  プロセッサ
【図１】
2016501490.tif 000003
【図２】
2016501490.tif 000004
【図３】
2016501490.tif 000005
【図４】
2016501490.tif 000006
【図５】
2016501490.tif 000007
【図６】
2016501490.tif 000008
【図７】
2016501490.tif 000009
【図８】
2016501490.tif 000010
【図９】
2016501490.tif 000011
【図１０】
2016501490.tif 000012
【図１１】
2016501490.tif 000013
【図１２】
2016501490.tif 000014
【図１３】
2016501490.tif 000015
【図１４】
2016501490.tif 000016
【図１５】
2016501490.tif 000017
【図１６】
2016501490.tif 000018
【図１７】
2016501490.tif 000019
【図１８】
2016501490.tif 000020
【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
タッチスクリーン電子デバイスの入力方法であって、
前記タッチスクリーン電子デバイスのタッチスクリーン上に仮想キーボードを表示するステップであって、前記仮想キーボードは、前記仮想キーボードに表示されている文字上でのユーザにより実行されるタッチ動作にしたがって対応する文字情報を入力し、前記仮想キーボード上にいくつかの最初の文字を表示するように構成されている、ステップと、
第１動作命令を取得するステップと、
前記第１動作命令に従って、前記仮想キーボードに表示されている前記いくつかの最初の文字を、いくつかの他の最初の文字に置き換えるステップと、
を具備することを特徴とするタッチスクリーン電子デバイスの入力方法。
【請求項２】
前記最初の文字は、数字、大文字、小文字、シンボル、又はエモーションであることを特徴とする請求項１に記載の方法。
【請求項３】
前記方法は、前記タッチスクリーン上に入力ボックスを表示するステップをさらに具備し、
前記仮想キーボードは、前記仮想キーボードに表示されている文字上でのユーザにより実行されるタッチ動作に従って、対応する文字情報を入力するように構成されており、
特に、前記仮想キーボードに表示されている文字上で前記ユーザにより実行される前記タッチ動作が受信された後、前記タッチ動作に対応する文字情報を前記入力ボックスに表示することを特徴とする請求項１又は２に記載の方法。
【請求項４】
前記第１動作命令は、前記タッチスクリーン上でのスライド動作命令であることを特徴とする請求項１から３の何れか一項に記載の方法。
【請求項５】
前記スライド動作命令は、左スライド動作命令、右スライド動作命令、上スライド動作命令、又は下スライド動作命令を具備することを特徴とする請求項４に記載の方法。
【請求項６】
前記方法は、前記タッチスクリーン上に１つまたは複数のトグルキーを表示するステップをさらに具備し、
前記トグルキーは、数字トグルキー、小文字トグルキー、大文字トグルキー、シンボルトグルキー、又はエモーショントグルキーであり、
前記数字トグルキー上のタッチ命令が取得されると、前記仮想キーボードに表示されている最初の文字を数字として表示するか、又は、
前記小文字トグルキー上のタッチ命令が取得されると、前記仮想キーボードに表示されている最初の文字を小文字として表示するか、又は、
前記大文字トグルキー上のタッチ命令が取得されると、前記仮想キーボードに表示されている最初の文字を大文字として表示するか、又は、
前記シンボルトグルキー上のタッチ命令が取得されると、前記仮想キーボードに表示されている最初の文字をシンボルとして表示するか、又は、
前記エモーショントグルキー上のタッチ命令が取得されると、前記仮想キーボードに表示されている最初の文字をエモーションとして表示する
ことを特徴とする請求項２から５の何れか一項に記載の方法。
【請求項７】
請求項１から６の何れか一項で使用されるタッチスクリーン電子デバイス上に配置されるユーザインターフェースであって、前記ユーザインターフェースは、
前記タッチスクリーン電子デバイスのタッチスクリーン上に表示されている仮想キーボードであって、前記仮想キーボードに表示されている文字上でのユーザにより実行されるタッチ動作に従って、対応する文字情報を入力するように構成されている前記仮想キーボードと、
前記仮想キーボードに表示されているいくつかの最初の文字と、
前記仮想キーボードに表示されているいくつかの他の最初の文字であって、前記タッチスクリーン上の第１動作命令を使用して取得される前記いくつかの他の最初の文字と、
を具備することを特徴とするユーザインターフェース。
【請求項８】
前記仮想キーボードに表示されている前記いくつかの最初の文字において、前記最初の文字は、数字、大文字、小文字、シンボル、又はエモーションであることを特徴とする請求項７に記載のユーザインターフェース。
【請求項９】
前記ユーザインターフェースは、表示される入力ボックスをさらに具備し、
前記入力ボックスに表示される文字情報は、前記仮想キーボードに表示されている文字上で前記ユーザにより実行された受信したタッチ動作に対応する文字情報であることを特徴とする請求項７又は８に記載のユーザインターフェース。
【請求項１０】
前記第１動作命令は、前記タッチスクリーン上でのスライド動作命令であることを特徴とする請求項７から９の何れか一項に記載のユーザインターフェース。
【請求項１１】
前記ユーザインターフェースは、前記タッチスクリーンに表示されている１つまたは複数のトグルキーをさらに具備し、
前記トグルキーは、数字トグルキー、小文字トグルキー、大文字トグルキー、シンボルトグルキー、又はエモーショントグルキーであり、
前記タッチスクリーン上に表示される最初の文字が数字ならば、前記数字トグルキー上のタッチ命令を取得することにより、前記数字が表示され、又は、
前記タッチスクリーン上に表示される最初の文字が小文字ならば、前記小文字トグルキー上のタッチ命令を取得することにより、前記数字が表示され、又は、
前記タッチスクリーン上に表示される最初の文字が大文字ならば、前記大文字トグルキー上のタッチ命令を取得することにより、前記数字が表示され、又は、
前記タッチスクリーン上に表示される最初の文字がシンボルならば、前記シンボルトグルキー上のタッチ命令を取得することにより、前記数字が表示され、又は、
前記タッチスクリーン上に表示される最初の文字がエモーションならば、前記エモーショントグルキー上のタッチ命令を取得することにより、前記数字が表示される、
ことを特徴とする請求項８から１０の何れか一項に記載のユーザインターフェース。
【請求項１２】
タッチスクリーン電子デバイスの入力装置であって、
前記タッチスクリーン電子デバイスのタッチスクリーン上の仮想キーボードを表示するように構成されている表示ユニットであって、前記仮想キーボードは、前記仮想キーボードに表示されている文字上でのユーザにより実行されるタッチ動作に従って、対応する文字情報を入力するように構成され、前記仮想キーボード上にいくつかの最初の文字を表示する、表示ユニットと、
第１動作命令を取得するように構成されている取得ユニットと、
前記第１動作命令に従って、前記仮想キーボードに表示されている前記いくつかの最初の文字をいくつかの他の最初の文字に置き換えるように構成されている処理ユニットと、
を具備することを特徴とするタッチスクリーン電子デバイスの入力装置。
【請求項１３】
前記表示ユニットにより表示される前記最初の文字は、数字、大文字、小文字、シンボル、又はエモーションであることを特徴とする請求項１２に記載の装置。
【請求項１４】
前記表示ユニットは、前記タッチスクリーン上に入力ボックスを表示するようにさらに構成され、前記仮想キーボードに表示されている文字上で前記ユーザにより実行される前記タッチ動作が受信された後、前記タッチ動作に対応する文字情報を前記入力ボックスに表示することを特徴とする請求項１２又は１３に記載の装置。
【請求項１５】
前記表示ユニットは、前記タッチスクリーン上に１つまたは複数のトグルキーを表示するようにさらに構成され、
前記トグルキーは、数字トグルキー、小文字トグルキー、大文字トグルキー、シンボルトグルキー、又はエモーショントグルキーであり、
前記処理ユニットは、
前記数字トグルキー上のタッチ命令が取得されると、前記仮想キーボードに表示されている最初の文字を数字として表示するか、又は、
前記小文字トグルキー上のタッチ命令が取得されると、前記仮想キーボードに表示されている最初の文字を小文字として表示するか、又は、
前記大文字トグルキー上のタッチ命令が取得されると、前記仮想キーボードに表示されている最初の文字を大文字として表示するか、又は、
前記シンボルトグルキー上のタッチ命令が取得されると、前記仮想キーボードに表示されている最初の文字をシンボルとして表示するか、又は、
前記エモーショントグルキー上のタッチ命令が取得されると、前記仮想キーボードに表示されている最初の文字をエモーションとして表示するようにさらに構成されていることを特徴とする請求項１２から１４の何れか一項に記載の装置。
【請求項１６】
コンピュータが請求項１から６のいずれか一項に従う方法を実施させるプログラム。
【手続補正２】
【補正対象書類名】明細書
【補正対象項目名】００１７
【補正方法】変更
【補正の内容】
【００１７】
第３の特徴によれば、本発明は、前記タッチスクリーン電子デバイスのタッチスクリーン上の仮想キーボードを表示するように構成されている表示ユニットであって、前記仮想キーボードは、前記仮想キーボードに表示されている文字上でのユーザにより実行されるタッチ動作に従って、対応する文字情報を入力するように構成され、前記仮想キーボード上にいくつかの最初の文字を表示する、表示ユニットと、第１動作命令を取得するように構成されている取得ユニットと、前記第１動作命令に従って、前記仮想キーボードに表示されている前記いくつかの最初の文字をいくつかの他の最初の文字に置き換えるように構成されている処理ユニットと、を具備するタッチスクリーン電子デバイスの入力装置を提供する。
【手続補正３】
【補正対象書類名】明細書
【補正対象項目名】００１８
【補正方法】変更
【補正の内容】
【００１８】
前記第３の特徴の第１の実装可能な方法において、前記表示ユニットにより表示される前記最初の文字は、数字、大文字、小文字、シンボル、又はエモーションである。
【手続補正４】
【補正対象書類名】明細書
【補正対象項目名】００１９
【補正方法】変更
【補正の内容】
【００１９】
前記第３の特徴の第２の実装可能な方法において、前記表示ユニットは、前記タッチスクリーン上に入力ボックスを表示するようにさらに構成され、前記仮想キーボードに表示されている文字上で前記ユーザにより実行される前記タッチ動作が受信された後、前記タッチ動作に対応する文字情報を前記入力ボックスに表示する。
【手続補正５】
【補正対象書類名】明細書
【補正対象項目名】００２０
【補正方法】変更
【補正の内容】
【００２０】
前記第３の特徴の第３の実装可能な方法において、前記取得ユニットにより取得された前記第１動作命令は、前記タッチスクリーン上でのスライド動作命令である。
【手続補正６】
【補正対象書類名】明細書
【補正対象項目名】００２１
【補正方法】変更
【補正の内容】
【００２１】
前記第３の特徴の第４の実装可能な方法において、前記取得ユニットにより取得された前記スライド動作命令は、左スライド動作命令、右スライド動作命令、上スライド動作命令、又は下スライド動作命令を具備する。
【手続補正７】
【補正対象書類名】明細書
【補正対象項目名】００２２
【補正方法】変更
【補正の内容】
【００２２】
前記第３の特徴の第５の実装可能な方法において、前記表示ユニットは、前記タッチスクリーン上に１つまたは複数のトグルキーを表示するようにさらに構成され、前記トグルキーは、数字トグルキー、小文字トグルキー、大文字トグルキー、シンボルトグルキー、又はエモーショントグルキーであり、前記処理ユニットは、前記数字トグルキー上のタッチ命令が取得されると、前記仮想キーボードに表示されている最初の文字を数字として表示するか、又は、前記小文字トグルキー上のタッチ命令が取得されると、前記仮想キーボードに表示されている最初の文字を小文字として表示するか、又は、前記大文字トグルキー上のタッチ命令が取得されると、前記仮想キーボードに表示されている最初の文字を大文字として表示するか、又は、前記シンボルトグルキー上のタッチ命令が取得されると、前記仮想キーボードに表示されている最初の文字をシンボルとして表示するか、又は、前記エモーショントグルキー上のタッチ命令が取得されると、前記仮想キーボードに表示されている最初の文字をエモーションとして表示するようにさらに構成されている。
【手続補正８】
【補正対象書類名】明細書
【補正対象項目名】００７８
【補正方法】変更
【補正の内容】
【００７８】
［実施形態４］
この本発明の実施形態は、タッチスクリーン電子デバイス18を提供する。図１８に示されるように、前記タッチスクリーン電子デバイスは、メモリ181と、ディスプレイ182と、プロセッサ183を具備し、
前記メモリ181は、命令を格納するように構成されており、
前記ディスプレイ182は、タッチスクリーン上に入力ボックスと前記入力ボックスの内容物、最初の文字と仮想キーボード上のキー情報を含む情報を表示するように構成されており、
前記プロセッサ183は、前記メモリ181内の命令を実行するように構成されており、
前記タッチスクリーン電子デバイスのタッチスクリーン上に仮想キーボードを表示するステップであって、前記仮想キーボードは、前記仮想キーボードに表示されている文字上でのユーザにより実行されるタッチ動作に従って、対応する文字情報を入力し、前記仮想キーボード上にいくつかの最初の文字を表示するように構成されている、ステップと、
第１動作命令を取得するステップと、
前記第１動作命令に従って、前記仮想キーボードに表示されている前記いくつかの最初の文字をいくつかの他の最初の文字に置き換えるステップと、
を特に実行する。
【国際調査報告】
2016501490.tif 000021
2016501490.tif 000022
2016501490.tif 000023
2016501490.tif 000024
2016501490.tif 000025